(57)【要約】      （修正有）【課題】旗類の巻取り・繰出しが、長期使用による機械的かつ降雨など自然影響からの損耗の防止により作動ミスなく円滑かつ確実に行えるようにするとともに、全体構造も簡略化して装置を広く安価に提供できるようにした片持式旗類掲納装置を提供する。【解決手段】筒型部材であり取付対象個所に基部が回転自在に挿通支持された巻取りパイプ７と、巻取りパイプを正逆に回転駆動する駆動手段１７と、巻取りパイプの外周を介して巻取りと繰出しが可能な旗類とを備えた片持式旗類掲納装置であって、巻取りパイプの外部張り出し部分には、旗類の前後幅間に対応する位置に通口２９が開設され、巻取りパイプ内には、通口に臨む位置と後退した位置とに進退可能な作動子２７を備えた進退機構２５が駆動手段と連動して設けられ、旗類の垂れ下がる先部には、巻取り終端において既巻取り部分の少なくとも１周分を被包状態とする保護シート部分３１と、通口に進出した作動子に磁力吸着する巻着作用材３３とが設けられている。【選択図】図１
0003221126.tif 000002
【実用新案登録請求の範囲】
【請求項１】
筒型部材であり取付対象個所に基部が回転自在に挿通支持された巻取りパイプと、この巻取りパイプを正逆に回転駆動する駆動手段と、前記巻取りパイプの外周を介して巻取りと繰出しが可能に設けられた旗類とを備えた片持式旗類掲納装置であって、前記巻取りパイプの外部に張り出した部分には、旗類の前後幅間に対応する位置に通口が開設されるとともに、巻取りパイプ内には、前記通口に臨む位置と後退した位置とに進退可能な作動子を備えた進退機構が前記駆動手段と連動する関係にして設けられ、旗類の垂れ下がる側となる先部には、巻取り終端において既巻取り部分を少なくとも１周分において被包状態とする保護シート部分と、巻取り終端において前記通口に進出した作動子に磁力を介して吸着する巻着作用材とが設けられていることを特徴とする片持式旗類掲納装置。
【考案の詳細な説明】
【技術分野】
【０００１】  本考案は、片持式旗類掲納装置に関する。
【背景技術】
【０００２】  例えば、市街地ビルの前面壁などには、取付ブラケットを介して斜め上向きに片持式に支持アームを突設し、その支持アームから紐などを介して国旗・イベント表示などの標章をあらわした旗類を吊下げバナー（垂れ幕）などとしてぶら下げ標示して市街地環境を美的に保つようにしているところがある。こうした場合の旗類は支持アームに昼夜を問わず常にぶら下げられたままの形とされるのが恒例とされてきたため雨風・外気温度などの自然現象を直接受けることになって早期に傷むことから早目の交換が必要となっていた。そのことから旗類の自然現象による経時的損傷等をなくすため、特許公報１に示すように旗類を掲揚時以外においてケーシング内に巻取り収納可能にして安全保護し得るようにしたものがある。
【先行技術文献】
【特許文献】
【０００３】
【特許文献１】米国特許第４３３２２１０号
【考案の概要】
【考案が解決しようとする課題】
【０００４】  特許公報１に示すものは、自動的に旗の巻取りと繰出しを行う装置であって、外周にらせん状部を備えたローラーをケーシング内に正逆駆動可能に備えるとともに、基端をケーシング内に取り付けた旗をローラー周りを経由してケーシングの開口より下向きに取出すようにし、その内部ローラーを一方向に駆動すればケーシング内に巻き入れていた旗が繰り出され、他方向に駆動すれば垂れ下がった状態の旗をローラー外周のらせん状部の摩擦力による回転駆動によりケーシング内の空間に巻き入れ収納するようにして旗の保護が図られるようになっているものである。
ところで、この自動装置は、ローラー外周のらせん状部による旗への押圧摩擦力によって往復駆動させることでケーシングに対しローラー回りでなくケーシング内に巻入れしまたケーシング外に繰出すように構成してあるので、ローラー（らせん状部）は旗に対して押圧摩擦力を多数回繰り返すことになる結果、ローラー表面および駆動される旗自身の損耗が激しくて旗の方が滑って、巻入れ・繰出しが円滑かつ確実になされなくなってゆく不作動のおそれがあるという問題がある。さらに、ローラーがらせん状部付きで特別な構成である他に、それを包むケーシング２３が曲げ舌状部分や肩部２７およびスロット４１等を内周に一体形成した特殊構造のものにしなければならず、構造が複雑過ぎることからコスト高になるなど製造面での問題も多くある。【０００５】  本考案は、こうした問題を解決しようとするものであり、旗類の巻取り・繰出しが長期使用による旗類等の機械的かつ降雨など自然影響からの損耗の防止により作動ミスなく円滑かついつまでも確実に行えるようにするとともに全体構造も簡略化して装置を広く安価に提供できるようにした片持式旗類掲納装置を提供することを目的とする。
【課題を解決するための手段】
【０００６】  本考案は上記目的を達成するため、請求項１に記載の考案は、筒型部材であり取付対象個所に基部が回転自在に挿通支持された巻取りパイプと、この巻取りパイプを正逆に回転駆動する駆動手段と、前記巻取りパイプの外周を介して巻取りと繰出しが可能に設けられた旗類とを備えた片持式旗類掲納装置であって、前記巻取りパイプの外部に張り出した部分には、旗類の前後幅間に対応する位置に通口が開設されるとともに、巻取りパイプ内には、前記通口に臨む位置と後退した位置とに進退可能な作動子を備えた進退機構が前記駆動手段と連動する関係にして設けられ、旗類の垂れ下がる側となる先部には、巻取り終端において既巻取り部分を少なくとも１周分において被包状態とする保護シート部分と、巻取り終端において前記通口に進出した作動子に磁力を介して吸着する巻着作用材とが設けられていることを特徴とする。
旗類とは国旗・校旗・団体標章旗・店舗標章旗・イベント標章旗など表示内容を問わず広くその対象とし、また旗類の生地も薄く巻取りや繰出しの可能な布や樹脂など薄地材であってその形態も矩形に限定されず三角形などでもよい。
【考案の効果】
【０００７】  上述したように請求項１に記載の考案は、筒型部材であり取付対象個所に基部が回転自在に挿通支持された巻取りパイプと、この巻取りパイプを正逆に回転駆動する駆動手段と、前記巻取りパイプの外周を介して巻取りと繰出しが可能に設けられた旗類とを備えた片持式旗類掲納装置であって、前記巻取りパイプの外部に張り出した部分には、旗類の前後幅間に対応する位置に通口が開設されるとともに、巻取りパイプ内には、前記通口に臨む位置と後退した位置とに進退可能な作動子を備えた進退機構が前記駆動手段と連動する関係にして設けられ、旗類の垂れ下がる側となる先部には、巻取り終端において既巻取り部分を少なくとも１周分において被包状態とする保護シート部分と、巻取り終端において前記通口に進出した作動子に磁力を介して吸着する巻着作用材とが設けられていることを特徴とするので、旗類の巻取り・繰出しが長期使用による旗類等の機械的かつ降雨など自然影響からの損耗の防止により作動ミスなく円滑かついつまでも確実に行えるようにするとともに全体構造も簡略化して装置を広く安価に提供できるようにした片持式旗類掲納装置を提供することができる。
【図面の簡単な説明】
【０００８】
【図１】  本考案の一実施形態を図２のＩ−Ｉ線に沿って示す断面図。
【図２】  図１のＩＩ−ＩＩ線に沿う拡大断面図。
【図３】  図１に基づき巻取り終端前の状態を示す断面図。
【図４】  図３に基づき巻取り終端直前の状態を示す一部切欠き正面図。
【図５】  巻取終端時の状態を示す拡大横断面図。
【考案を実施するための形態】
【０００９】  以下、本考案である片持式旗類掲納装置の一実施形態を図１ないし図４に基づいて説明する。
これらの図において、１は取付対象個所であるビルなどの外壁で、その高いところには、貫通孔２が開けられてその内部には軸受３がまた外面には封止板４が取り付けられている。外壁１の内側には、側面コの字形をし上下に取付用のフランジを備えた金属製の取付台座５が図示しない止着具により内方凸状をなして固定されている。
【００１０】  ７は巻取りパイプで、外径が３０〜５０ｍｍのアルミ合金製円筒パイプであり、その基部は、取付大正個所である外壁１の軸受３内に挿通されて回転自在とされている。巻取りパイプ７は１ｍの長さのパイプとされ、その先端内にはスライド受８がまた外部先端には金球９が取り付けられている。
【００１１】  日の丸国旗である旗類１１は化学繊維質の布材からなり、その幅はＷで長さはＬとされ、Ｗは５０ｃｍ前後でＬは８０ｃｍ前後とされる。旗類１１の基端は、図２に示すように、巻取りパイプ７の右周りの位置に固着手段１２により止め付けられ、基端から左周りに回って垂れ下がった形とされる。図１では、旗類１１の基端は巻取りパイプ７の向う側に固着されて手前側に回されて前側に垂れ下がる形にされる。この状態が繰出し終端の状態でそれはリミットスイッチ（図示省略）で規定される。
【００１２】  前記取付台座５には、モーターである駆動源１５が取り付けられ、そのドライブ軸にはピニオン１６がまたその下位にはギア１７が取り付けられている。ピニオン１６とギア１７とは減速関係にあるとともに、これらは例えば、朝には図１のピニオン１６に示す矢印ｘ方向にまた夕にはその逆方向にと正逆に自動制御運転される。巻取りパイプ７の基部は、軸受３に回転自在に支持された形にされるとともに、さらにその基端のフランジは前記ギア１７の正面側に取り付けられている。ギア１７が回転するとこの巻取りパイプ７も正逆に回転駆動される。駆動源１５・ピニオン１６・ギア１７は駆動手段である。
【００１３】  ギア１７の正面側の中央には、メネジを備えた受ねじ体２０が取り付けられるとともに、中心には基軸２１が固定して設けられている。基軸２１の先部には六角など多角形やスプラインなどの直動受軸２２が一体に突設されている。直動受軸２２には、受ねじ体２０に螺合するオネジ体である直動軸２３が設けられている。直動軸２３には巻取りパイプ７内の中心を通るように進退軸２５が取り付けられ、先端は前記スライド受８内を進退するようになっている。
【００１４】  進退軸２５の軸上には、前後３個所（複数個所）にマグネット製作動子２７…が配備され、それらの前後長さは前記Ｗ（５０ｃｍ）と同じでその長さ内に定間隔を置いて３個の作動子２７を配置してある。一つの作動子２７は長さ７ｃｍ程度の丸軸状をしたもので直径は巻取りパイプ７の内径と同じで巻取りパイプ７内を滑る程度のものにしてある。前記ピニオン１６・ギア１７・受ねじ体２０・基軸２１・直動受軸２２・直動軸２３・進退軸２５・作動子２７は進退機構であり、駆動手段と連動する関係になっている。
【００１５】  巻取りパイプ７の張りだした外周部分には、図２に示すように中心角が６０度をもって開いた通口２９…が矩形孔型をなして形成されている。この通口２９は、作動子２７が張り出し方向にＳ程前進した際に丁度同芯状に対応する位置に開けられている。作動子２７…が後退したときには、この通口２９…は完全に開放状とされる。
【００１６】  一方、旗類１１の垂れ下がる側となる先部には、巻取り終端において既巻取り部分を少なくとも１周分において被包状態とする変曲可能型保護シート部分３
0003221126.tif 000003
とされていて、例えば、図５に示すように、巻取り終端において既巻取り旗部分を１周分をもって覆い包むような形態とされ、それによって例えば、旗類を雨の浸潤被害から護るとともに雨の浸潤を含む耐候性の確保が図れるようにするものである。
【００１７】  旗類１１の巻取り終端には、作動子２７が進出した位置にそれぞれ対応する配
0003221126.tif 000004
この巻着作用材３３は、巻取りパイプ７の周りに曲がって添設される薄い鉄材や作動子２７と吸着可能なマグネットあるいは袋入り鉄粉などでなり、図５のように巻取り終端において進出してきた作動子２７に向けて吸着作用することから巻取り後において巻き取り状態を保つことができるものになっている。この巻着作用材３３は、図１の左下欄に示すようにドット状あるいは横向きストライプ状にして曲がりやすくなるようにしてもよい。作動子２７が後退して通口２９から回避した際には、作動子２７がアルミ製巻取りパイプ７内に回避した状態になることになって吸着力が巻着作用材３３に作用しなくなるため繰出しにより垂れ下がってゆくようになる。尚、通口２９と巻着作用材３３とは図５のように巻取り終端において同心状にラップする関係になるように寸法が設定されている。
【００１８】  即ち、その作用を説明すると、夕方一定時間までは、旗類１１は、図１および図２に示すように、一杯に展開した垂下状態とされている。垂下状態では保護シート部分３１および巻着作用材３３とは軽い旗類本体部分に比べて一定の重みを有するので突風や強風が吹いても巻取りパイプ７上までに旗類１１が煽られるのが阻止され、安定した掲揚状態を保つように作用する。
【００１９】  夕方の設定時間になると、図示しない制御回路を通じて駆動源１５はＯＮになってピニオン１６を矢印方向に駆動させ、これにより、巻取りパイプ７はピニオン１６とは逆の矢印Ｘ方向に回転駆動される。巻取りパイプ７が回転駆動されると、垂下状態にあった旗類１１は次第に巻き上げられてゆき、図３のように幾重にも巻かれたのち保護シート部分３１が巻取りパイプ７周りに掛かるところまできてのち、さらに巻き上げられると、図４のように保護シート部分３１は通口２９…を上から巻き隠すようにして巻き回されるようになり、最後には、図５に示すように、保護シート部分３１が外周りに約１周分をもって巻き回された状態になる。
【００２０】  それと併せて、ギア１７と受ねじ体２０も同じＸ方向に回転駆動されるため、取付台座５側に固定の直動受軸２２に回転規制された直動軸２３はねじを介して外部（張出）方向に進出することになり、それにより、進退軸２５を介して作動子２７…も前進してゆくが、直動軸２３がストロークＳの半分以上を越えるまでは通口２９に臨むまでにはならない。直動軸２３および進退軸２５がストロークＳの半分を越えてくると、作動子２７…は図３のように通口２９…に対して極く一部臨む位置関係になり、さらに進出して、図４に示すように、巻着作用材３３…が巻取りパイプ７の高さにまで巻き上げられてくるころには作動子２７…は殆ど通口２９に合致して臨む直前態勢になり、最後には、図５に示すように、巻き回されてくる巻着作用材３３…にその内側から作動子２７が完全一致するところまできて矢印のようにマグネットである作動子２７が巻着作用材３３…を内向きに引っ張る結果、旗類１１は巻き回された状態を保持できることとなる。
【００２１】  巻取りパイプ７が一定に巻回転されたところで、直動軸２３の抜けを防止するためリミットスイッチにより回転が停止される。その状態で朝を迎えるが、その間雨が降ってきても保護シート部分３１が雨除けをしてくれるので旗類１１は保護されまた旗類１１の端部は磁力により勝手に開かないようになっているので、雨だけでなく風に対しても巻状態を安定に保つ。
【００２２】  朝の設定時間がくると、図示しない制御回路を通じて駆動源１５はＯＮになってピニオン１６を矢印とは反対方向に駆動させ、これにより、巻取りパイプ７は矢印Ｘとは逆の方向に回転駆動される。巻取りパイプ７が回転駆動されると、巻着作用材３３が図５のように内向きに磁力吸引された状態のままの巻取り状態で逆回転されるが、その状態は直動軸２３が後退して作動子２７が通口２９から回避した状態なるまで継続し、作動子２７が通口２９から外れて巻取りパイプ７内に隠れてしまうと、磁力吸引が解除されることから巻取りパイプ７が回転するに連れて自由に解除されて下向きに垂下してゆき、図１および図２のように完全に垂下した状態になる。急に雨が降った場合にも夕方のように旗類１１を巻取り指示し、これにより、保護シート部分３１は旗類１１を包み込み、雨から護るようにする。
【符号の説明】
【００２３】  １…外壁  ７…巻取りパイプ  １１…旗類  １５，１６，１７…ギア（駆動手段）  ２０，２１，２２，２３，２５…進退機構  ２７…作動子  ２９…通口  ３１…保護シート部分  ３３…巻着作用材。
【図１】
0003221126.tif 000005
【図２】
0003221126.tif 000006
【図３】
0003221126.tif 000007
【図４】
0003221126.tif 000008
【図５】
0003221126.tif 000009